(57)【要約】【課題】  プールや海等の水中で使用することのできる水中プロジェクターを提供すること。【解決手段】  防水筐体１０内にプロジェクター本体２０を配置して構成され水中で使用される水中プロジェクターＡに、防水筐体１０内を一方から他方に延びる配水官１３と、配水管１３に組み付けられた状態でプロジェクター本体２０の外面に沿って配置された熱交換器１１と、外部の水を配水管１３内と水中プロジェクターＡの外部との間で循環させるウォーターポンプ１２とを設けた。また、防水筐体１０の前面部に穴部１０ｂを設け、防水筐体１０内における穴部１０ｂが形成された部分に防水スピーカー１４を設置した。さらに、防水筐体１０の底面にバランス調整重り１８を設けた。そして、配水管１３の吸水口１３ａにフィルター１９を設置した。【選択図】  図１
2008216412.tif 000002
【特許請求の範囲】
【請求項１】
透光性の窓部を備えた防水筐体内にプロジェクター本体を配置して、前記プロジェクター本体からの投光を前記窓部を介して前記防水筐体外に映写する水中で使用される水中プロジェクターであって、
前記防水筐体内に配置され内部に冷却水路が形成された熱交換器と、
前記熱交換器の冷却水路に連通し前記防水筐体の外部の水を取り入れる給水管と、
前記熱交換器の冷却水路に連通し前記冷却水路の水を前記防水筐体の外部に排出する排水管と、
前記水中プロジェクターの外部の水を前記給水管と前記排水管とを通じて循環させるウォーターポンプとを備えたことを特徴とする水中プロジェクター。
【請求項２】
前記防水筐体の所定部分に音通過用の穴部を設けるとともに、前記防水筐体内における前記穴部が形成された部分に防水スピーカーを設置した請求項１に記載の水中プロジェクター。
【請求項３】
前記防水筐体の底面に前記水中プロジェクターを水中にバランスよく保持するためのバランス調整重りを設けた請求項１または２に記載の水中プロジェクター。
【請求項４】
前記給水管の吸水口にフィルターを設置した請求項１ないし３のうちのいずれか一つに記載の水中プロジェクター。
【請求項５】
水中に設けられた壁面や底面またはスクリーンに前記プロジェクター本体から投射される映像を映し出すようにした請求項１または４のうちのいずれか一つに記載の水中プロジェクター。
【請求項６】
前記プロジェクター本体から投射される映像をスクリーンに映し出すようにするとともに、前記スクリーンを水中で発生させた気泡の層で構成した請求項１または４のうちのいずれか一つに記載の水中プロジェクター。
【発明の詳細な説明】
【技術分野】
【０００１】
本発明は、プールや海等の水中で使用される水中プロジェクターに関する。
【背景技術】
【０００２】
従来から、プロジェクターは種々の場所で画像を映写するために使用されており、このようなプロジェクターの中に水中の壁面等に映像を映し出すためのプロジェクターがある（例えば、特許文献１参照）。このプロジェクターは水槽等の上方に設置され水槽内に配置されたスクリーンに向って映像を投射することによりあたかも水中に実体が存在しているかのように認識させるものである。しかしながら、このプロジェクターは空気中に設置して使用されるもので、水中のようにプロジェクターが発生する熱がプロジェクターの内部でこもる環境下で用いることはできない。このため、水冷ジャケットを設けて冷却効果を大きくしたプロジェクターも開発されている（例えば、特許文献２参照）。
【特許文献１】特開２００３−３２２９０７号公報
【特許文献２】特開２００５−１０６３０号公報
【発明の開示】
【０００３】
しかしながら、前述した水冷ジャケットを備えたプロジェクターには、効率的に冷却を行うための機構は備わっているが、水中で使用するための機構は備わってなく、このプロジェクターを水中で使用することはできない。
【０００４】
本発明は、上記問題に対処するためになされたもので、その目的は、プールや海等の水中で使用することのできる水中プロジェクターを提供することである。
【０００５】
前述した目的を達成するため、本発明に係る水中プロジェクターの構成上の特徴は、透光性の窓部を備えた防水筐体内にプロジェクター本体を配置して、プロジェクター本体からの投光を窓部を介して防水筐体外に映写する水中で使用される水中プロジェクターであって、防水筐体内に配置され内部に冷却水路が形成された熱交換器と、熱交換器の冷却水路に連通し防水筐体の外部の水を取り入れる給水管と、熱交換器の冷却水路に連通し冷却水路の水を防水筐体の外部に排出する排水管と、水中プロジェクターの外部の水を給水管と排水管とを通じて循環させるウォーターポンプとを備えたことにある。
【０００６】
このように構成した本発明の水中プロジェクターにおいては、プロジェクター本体を防水筐体の内部に配置してプロジェクター本体を外部の水から隔離するとともに、プロジェクター本体の発光部を介して投射される映像が窓部を通過して外部の所定場所に映し出されるようにしている。また、防水筐体内に熱交換器を配置して、この熱交換器の冷却水路内に給水管を介して水中プロジェクターの外部から送り込まれてくる水が通過するようにしている。また、その水は、ウォーターポンプの作動によって給水管および排水管と水中プロジェクターの外部との間で循環する。
【０００７】
このため、プロジェクター本体は水中プロジェクターの外部の水によって効果的に冷却され適正な作動状態を維持できる。また、水中プロジェクターを設置する場所がプールや海の水中であれば冷却水として利用できる水は多量に存在するため、給水管内および排水管内に吸引される冷却水の水温が上昇することもない。さらに、プロジェクター本体から投射される映像は、プール等の壁面や底面、または、所定の場所に設置したスクリーン等に映し出すことができ、その映し出された映像を見る人は、水中にいてその映像を見ることができるし、水の外側からその映像を見ることもできる。
【０００８】
本発明に係る水中プロジェクターの他の構成上の特徴は、防水筐体の所定部分に音通過用の穴部を設けるとともに、防水筐体内における穴部が形成された部分に防水スピーカーを設置したことにある。これによると、水中にいながら映像を見るだけでなく、その映像に応じた音声や効果音等の音も聞くことができる。
【０００９】
本発明に係る水中プロジェクターのさらに他の構成上の特徴は、防水筐体の底面に水中プロジェクターを水中にバランスよく保持するためのバランス調整重りを設けたことにある。これによると、防水筐体の内部の空気によって水中プロジェクター全体の比重が小さくなっても水中プロジェクターを水中に保持することができる。また、このバランス調整重りはレール等に沿って移動可能に設けることが好ましく、これによると水中プロジェクターが設置される場所等の状態に応じて水中プロジェクターを所定の傾斜角度にしてバランスよく設置することができる。すなわち、水中プロジェクターの傾斜角度を変えることによってスクリーン等に投射する映像の光の角度を調整することができる。
【００１０】
本発明に係る水中プロジェクターのさらに他の構成上の特徴は、給水管の吸水口にフィルターを設置したことにある。これによると、給水管、排水管および熱交換器の内部に髪の毛やごみ等の異物が入り込んで冷却効果が低下することを防止できる。また、異物の除去も容易にできる。
【００１１】
本発明に係る水中プロジェクターのさらに他の構成上の特徴は、水中に設けられた壁面や底面またはスクリーンにプロジェクター本体から投射される映像を映し出すようにしたことにある。この場合、映像が映し出される場所は、水中がプール、浴槽または水槽等の水中であればプールや水槽の壁面や底面になり、水中が池や海の水中であれば池や海の底等になる。また、映像をスクリーンに映し出す場合には、スクリーンを所定の場所に設置する。この場合、スクリーンの上端縁部に比重の小さな棒状体を取り付け、スクリーンの下端縁部に比重の大きな棒状体を取り付ける等をすることにより、スクリーンを張った状態で任意の場所に取り付けることができる。
【００１２】
本発明に係る水中プロジェクターのさらに他の構成上の特徴は、プロジェクター本体から投射される映像をスクリーンに映し出すようにするとともに、スクリーンを水中で発生させた気泡の層で構成したことにある。この場合の気泡の層は、パイプ等の長尺物に多数の孔を設け、このパイプ等を水中に設置した状態でパイプ等の内部に空気を送り込みその空気を孔から水中に放出すること等により形成できる。これによると、気泡の層に映し出される映像が奥行きのあるものになり興趣に富むものとなる。
【発明を実施するための最良の形態】
【００１３】
（第１実施形態）
以下、本発明の第１実施形態を図面を用いて説明する。図１は、本発明に係る水中プロジェクターＡを示している。この水中プロジェクターＡは、矩形箱状の防水筐体１０の内部にプロジェクター本体２０、熱交換器１１、ウォーターポンプ１２、配水管１３、防水スピーカー１４、映像データ記憶装置１５、制御回路１６およびバッテリー１７を設置するとともに、防水筐体１０の底面にバランス調整重り１８を取り付け、配水管１３の吸水口１３ａにフィルター１９を取り付けて構成されている。
【００１４】
防水筐体１０の前面部（図１の右側部分）の上部には、透光性の材料からなる窓部１０ａが形成され、その下方に音や声を通過させるための複数の小さな穴部１０ｂが形成されている。そして、防水筐体１０の底部における後部側部分と前部側部分とにそれぞれ配水管１３の両端側部分を通すための挿通穴が形成されている。また、この防水筐体１０は防水性を備えており、防水筐体１０を構成する材料は絶縁性を備えている。プロジェクター本体２０は、箱状のケース２１内の前部側にヒートシンク２２を介して光源ランプ２３を設けるとともに、光源ランプ２３の前方にレンズ２４を設けて構成されている。また、ケース２１内における後部側には、映像データ再生機２５が設置されており、この映像データ再生機２５は、ケース２１の後面部に設けられたインターフェース部２６に接続されている。
【００１５】
ケース２１の前面部は透光性の前壁部２１ａで構成されており、ケース２１はこの前壁部２１ａを窓部１０ａに対向させた状態で防水筐体１０内に設置されている。ヒートシンク２２は、板状の基板と、その基板の表面から基板に直交した状態で互いに平行して延びる複数のフィンとで構成されている。そして、複数のヒートシンク２２が光源ランプ２３の前方側以外の部分を囲うようにして配置されている。すなわち、この複数のヒートシンク２２は、フィンを光源ランプ２３側に向けた状態で前面が開口した箱状に形成されている。
【００１６】
また、複数のヒートシンク２２のうちの下部側に配置されたヒートシンク２２はケース２１の底面に接触しており、他のヒートシンク２２はそれぞれケース２１の壁面から所定間隔を保って配置されている。このため、ヒートシンク２２は、光源ランプ２３が発生する熱をフィンで吸収しその熱を基板を介してケース２１の底面に伝達する。そして、光源ランプ２３とケース２１の前壁部２１ａとの間にレンズ２４が設置されている。光源ランプ２３、レンズ２４および窓部１０ａは、それぞれの中心部が同一線上に位置するようにして配置されている。なお、光源ランプ２３は、高圧水銀系ランプからなっている。
【００１７】
熱交換器１１は、外形が箱状に形成されておりケース２１の底面外側に、高耐熱性および高熱伝導性を有するグリースを介して、ねじ等の固定部材で取り付けられている。また、熱交換器１１の内部には、後部側から前部側に向って屈曲しながらジグザグに延びる細い冷却水路が形成されており、この冷却水路内を通過する水にヒートシンク２２およびケース２１を介して伝達される光源ランプ２３の放熱を吸収させる。また、熱交換器１１の内部には、熱交換器１１内を通過する水の温度を検出するセンサ１１ａが設置されている。そして、この熱交換器１１の後部には、配水管１３における吸水口１３ａから延びてくる上流部分の前端部が接続され、熱交換器１１の前部には配水管１３の下流側部分の後端部が接続されている。
【００１８】
また、配水管１３の下流側部分の下流端には排水口１３ｂが形成されている。吸水口１３ａは、防水筐体１０の底部における後部側に形成された挿通穴を挿通して外部に延び、排水口１３ｂは、防水筐体１０の底部における前部側に形成された挿通穴を挿通して外部に延びている。また、吸水口１３ａおよび排水口１３ｂは、それぞれ挿通する挿通穴の周縁部に対して液密的に取り付けられている。ウォーターポンプ１２は、配水管１３における吸水口１３ａと熱交換器１１との間に設置され、作動することにより吸水口１３ａ側から水を吸引してその水を熱交換器１１側に吐出する。なお、配水管１３における吸水口１３ａと熱交換器１１との間の部分で本発明に係る給水管が構成され、なお、配水管１３における熱交換器１１と排水口１３ｂとの間の部分で本発明に係る排水管が構成される。
【００１９】
また、吸水口１３ａにはフィルター１９が取り付けられており、外部から吸水口１３ａ内に吸引される水に含まれる異物はこのフィルター１９に吸着される。これによって、配水管１３内には、異物が除去された水が入っていく。また、防水筐体１０の前面部の内部側における穴部１０ｂに対応する部分には、防水スピーカー１４が取り付けられている。この防水スピーカー１４は配線１４ａを介してプロジェクター本体２０のインターフェース部２６に接続されており、映像データ再生機２５から送られる音や声等の音データに基づいた音や声を発音する。
【００２０】
映像データ記憶装置１５は、ＵＳＢメモリやＳＤカード等のデータ記憶メディアから構成される記憶装置であり、映像データや音データが記憶されている。この映像データ記憶装置１５は、配線１５ａを介してプロジェクター本体２０のインターフェース部２６に接続されており、インターフェース部２６を介して映像データ再生機２５に映像データや音データを送信する。映像データ再生機２５に送信された映像データは、映像データ再生機２５から光源ランプ２３およびレンズ２４を介して窓部１０ａから外部に映像として投射される。また、音データは、映像データ再生機２５から配線１４ａを介して防水スピーカー１４に送信され、防水スピーカー１４は、音データに基づいた音や声を発音する。この音は、穴部１０ｂを通過して外部に伝達される。
【００２１】
制御回路１６は配線１６ａを介してプロジェクター本体２０のインターフェース部２６に接続され、配線１６ｂを介してウォーターポンプ１２に接続されている。さらに、制御回路１６は配線１６ｃを介してセンサ１１ａに接続されている。そして、制御回路１６は、センサ１１ａが検出する熱交換器１１内の水の温度にしたがって、ウォーターポンプ１２と映像データ再生機２５との作動を継続させたりその作動を停止させたりする。すなわち、水中プロジェクターＡの作動中に、センサ１１ａの検出値が所定値を超えると、制御回路１６の制御により映像データ再生機２５は作動を停止し、その後、ウォーターポンプ１２も作動を停止する。
【００２２】
また、バッテリー１７は、配線１７ａを介してプロジェクター本体２０のインターフェース部２６に接続され、配線１７ｂを介してウォーターポンプ１２に接続されている。そして、映像データ再生機２５とウォーターポンプ１２とは、このバッテリー１７から供給される電力によって作動する。バランス調整重り１８は、比重の大きな金属等で構成されており、防水筐体１０の底面に位置変更可能な状態で取り付けられている。防水筐体１０の底面には前後に延びるレール部（図示せず）が設けられており、バランス調整重り１８はレール部に沿って移動可能な状態レール部に取り付けられている。そして、バランス調整重り１８はねじ等の固定部材でレール部の任意の部分に固定することができる。
【００２３】
また、この水中プロジェクターＡには、映像データ再生機２５やウォーターポンプ１２を始動させるためのスイッチや、各種の操作ボタン等が備わっている。これらのスイッチや、各種の操作ボタン等は水中プロジェクターＡの外部からリモコン操作が可能になっている。さらに、防水筐体１０の上面中央には、図２に示したように、取付部材２７が設けられており、水中プロジェクターＡは、取付部材２７を介して、プール３１の水面に張られたコースロープ３２に取り付けられて使用される。取付部材２７は、防水筐体１０に固定された連結片２７ａと、コースロープ３２に位置を変更可能に取り付けられる固定部２７ｂとを回転部２７ｃを介して回転可能に連結して構成されている。
【００２４】
この場合、水中プロジェクターＡは、プール３１の底面３１ａに映像を映し出すようにしてコースロープ３２に取り付けられている。このため、バランス調整重り１８を防水筐体１０の前部側に固定して水中プロジェクターＡとバランス調整重り１８との重心を水中プロジェクターＡの前部側に位置させることによって、水中プロジェクターＡの窓部１０ａ側が斜め下方を向くように水中プロジェクターＡを傾斜させている。
【００２５】
このように構成された水中プロジェクターＡを使用する際には、スイッチをオン状態にするとともに所定の操作ボタンを操作する。これによって、映像データ再生機２５が始動するとともに光源ランプ２３が発光して、映像データ記憶装置１５から映像データ再生機２５に送信される映像データが映像としてレンズ２４を介してプール３１の底面３１ａに映し出される。この場合、光源ランプ２３の発光による放熱や、映像データ再生機２５からの放熱によって、ケース２１内の温度は上昇するが、同時にウォーターポンプ１２も作動して、ケース２１は熱交換器１１内を通過するプール３１の水によって冷却される。その際、ウォーターポンプ１２は、プール３１内の水をフィルター１９で異物を除去したのちに吸水口１３ａから吸い込み熱交換器１１側に吐出する。
【００２６】
そして、熱交換器１１内でケース２１の熱を吸収した水は、排水口１３ｂからプール３１内に排出される。この吸水口１３ａからのプール３１の水の吸引と、その水の排水口１３ｂからプール３１内への排出は、水中プロジェクターＡが作動している間繰り返し行われるが、プール３１内には多量の水があるため、プール３１の水温が３０℃〜３５℃程度の場合、水温が上昇することなく水中プロジェクターＡは環境適正温度（略４０℃以下）に維持される。また、プール３１の底面３１ａには魚が泳いでいる様子や景色等の映像を映し出すことができ、これによって、遊泳者に、海中で泳いでいるような感覚等を持たせることができる。
【００２７】
このように、本実施形態に係る水中プロジェクターＡでは、外郭部を防水性および絶縁性を備えた防水筐体１０で構成して内部に水が浸入することや漏電が生じることを防止している。また、プロジェクター本体２０のケース２１の外面に熱交換器１１を配置して、この熱交換器１１内に配水管１３を介してプール３１の水が循環するようにしている。このため、プロジェクター本体２０はプール３１の水によって効果的に冷却され適正な作動状態を維持できる。また、プロジェクター本体２０から投射される映像は、プール３１の底面３１ａに映し出されるため、プール３１の遊泳者はその映し出された映像を見ながら泳ぐことができる。この場合、特に、スクリーンを設ける必要がない。
【００２８】
また、防水スピーカー１４からは、映像に対応した声や効果音等が流れてくるため、遊泳者は映像を見るとともに音や声等を聞きながら泳ぐことができる。さらに、防水筐体１０の底面には位置変更が可能な状態でバランス調整重り１８が設けられているため、必要に応じて水中プロジェクターＡの傾斜角度を変更することができる。また、バランス調整重り１８を設けたことによって、水中プロジェクターＡを水中に維持することができ、これによって、取付部材２７に無駄な力が加わらなくなる。
【００２９】
さらに、配水管１３の吸水口１３ａにフィルター１９を設置したため、配水管１３内に髪の毛やごみ等の異物が入らなくなり熱交換器１１の冷却効果が低下することを防止できる。また、フィルター１９が詰まる等して、熱交換器１１の冷却効率が低下しセンサ１１ａの検出値が所定値を超えると、制御回路１６の制御により水中プロジェクターＡは作動を停止する。これによって、水中プロジェクターＡが破損することを防止できる。
【００３０】
（第２実施形態）
図３は、本発明の第２実施形態に係る水中プロジェクターＢの要部を示している。この水中プロジェクターＢは、前述した水中プロジェクターＡに、ヒートシンク３５を備えた熱交換器３６と内気冷却ファン３７とを加えた構造になっている。すなわち、図３では省略した部分もあるが、この水中プロジェクターＢは、ヒートシンク３５を備えた熱交換器３６と内気冷却ファン３７とを加えたこと以外は、水中プロジェクターＡと同じ構成になっている。したがって、同一部分に同一符号を記してその部分の説明は省略する。
【００３１】
熱交換器３６は前述した熱交換器１１と同一構造をしており、配水管１３におけるウォーターポンプ１２と熱交換器１１との間に一方の面をプロジェクター本体２０側に向けた状態で設置されている。また、ヒートシンク３５は前述したヒートシンク２２と同じ構造をしており基板を熱交換器３６の一方の面に沿わせ、フィンをプロジェクター本体２０側に向けた状態で熱交換器３６に取り付けられている。このヒートシンク３５も高耐熱性および高熱伝導性を有するグリースや固定部材を介して熱交換器３６に取り付けられている。そして、熱交換器３６は、ヒートシンク３５を介して伝達される防水筐体１０内の熱を内部を通過する水に吸収させることによって、防水筐体１０内を冷却する。
【００３２】
内気冷却ファン３７は、ケース２１の後面部に設けられており、ケース２１内の加熱された空気をヒートシンク３５側に送り出すことによりケース２１内を空冷する。この熱交換器３６、ヒートシンク３５および内気冷却ファン３７によって、水中プロジェクターＢを冷却するための効果はさらに大きくなり、水中プロジェクターＢはより安定した作動状態を維持できる。この水中プロジェクターＢのそれ以外の作用効果は、前述した水中プロジェクターＡと同様であり、この水中プロジェクターＢは、前述した水中プロジェクターＡと同様の方法で使用できる。
【００３３】
（第３実施形態）
図４は、本発明の第３実施形態に係る水中プロジェクターＣの要部を示している。この水中プロジェクターＣには、映像データ記憶装置、映像データ再生機およびバッテリーは備わってなく、水中プロジェクターＣの外部に配置された映像データ記憶装置を含む映像データ再生機３８が配線３８ａを介してインターフェース部２６ａに接続可能になっている。また、電源３９が配線３９ａを介してインターフェース部２６ａに接続可能になり、配線３９ｂを介してウォーターポンプ１２ａに接続可能になっている。なお、映像データ再生機３８は、パソコンやＤＶＤプレーヤー等で構成されている。この水中プロジェクターＣのそれ以外の部分の構成は、前述した水中プロジェクターＡと同一（図４には省略した部分もある）である。したがって、同一部分に同一符号を記してその部分の説明は省略する。
【００３４】
これによると、防水筐体１０の内部に、映像データ記憶装置、映像データ再生機およびバッテリーが設けられてないため、水中プロジェクターＣを小型化することができる。また、映像データや音データを自在に変更しながら水中プロジェクターＣを使用することができる。さらに、電源３９を用いるため、バッテリーの残存容量を管理する必要が無くなる。また、この場合、配線３８ａ，３９ａ，３９ｂはコースロープ３２が備える円筒状の浮部内を通すことができ、これによると、配線３８ａ，３９ａ，３９ｂが邪魔になることがない。この水中プロジェクターＣのそれ以外の作用効果は、前述した水中プロジェクターＡと同様である。
【００３５】
（第４実施形態）
図５は、本発明の第４実施形態に係る水中プロジェクターＤの要部を示している。この水中プロジェクターＤには、映像データ記憶装置および映像データ再生機は備わってなく、水中プロジェクターＤの外部に配置された映像データ記憶装置を含む映像データ再生機４１が発信する映像データや音データが送信器４２を介して超音波信号として水中プロジェクターＤに送信されるようになっている。そして、水中プロジェクターＤには、送信器４２から送信される超音波信号を受信するための受波器４３と、超音波信号を映像信号や音信号に変換するためのデータ変換機４４が備わっている。
【００３６】
送信器４２は、映像データ再生機４１から送られる映像データや音データを超音波信号に変換するデータ変換機４２ａと、その超音波信号を発信する送波器４２ｂとで構成されている。そして、送波器４２ｂが発信する超音波信号は、水中プロジェクターＤの受波器４３に受信され、受波器４３からデータ変換機４４に送られる。データ変換機４４は超音波信号を映像信号に変換してプロジェクター本体４５に送りプロジェクター本体４５から映像を投射させるとともに、超音波信号を音信号に変換して防水スピーカー４６に送り防水スピーカー４６に発音させる。
【００３７】
この水中プロジェクターＤのそれ以外の部分の構成は、前述した水中プロジェクターＡと同一である。したがって、同一部分に同一符号を記して説明は省略する。これによると、防水筐体１０の内部に、映像データ記憶装置および映像データ再生機が設けられてないため、水中プロジェクターＤを小型化できる。また、映像データや音データを自在に変更しながら水中プロジェクターＤを使用することができる。さらに、水中プロジェクターＤと送信器４２とを接続する配線等が不要であるため、水中プロジェクターＤの設置が容易になるとともに、配線が邪魔になることもない。この水中プロジェクターＤのそれ以外の作用効果は、前述した水中プロジェクターＡと同様である。
【００３８】
（第５実施形態）
図６は、本発明の第５実施形態に係る水中プロジェクターＥの要部を示している。この水中プロジェクターＥは、上面を水面ａに露出させた状態で水中に設置して使用するもので、送信器４７が、映像データや音データを電波信号に変換するデータ変換機４７ａと、その電波信号を発信する電波送信器４７ｂとで構成されている。そして、水中プロジェクターＥには、電波送信器４７ｂから送信される電波信号を受信するための電波受信器４８と、電波信号を映像信号や音信号に変換するためのデータ変換機４９が備わっている。また、電波受信器４８には、上方に向かって延びるアンテナ４８ａが備わっている。
【００３９】
なお、この水中プロジェクターＥの上面には、取付部材２７は備わってなく、例えば、水中プロジェクターＥの側面をコースロープ３２に並べて固定するための取付部材（図示せず）等が備わっている。この取付部材も傾斜角度を調整可能にして水中プロジェクターＥを固定することができる。水中プロジェクターＥのそれ以外の部分の構成は、前述した水中プロジェクターＤと同一である。したがって、同一部分に同一符号を記して説明は省略する。これによっても、水中プロジェクターＤと同様の作用効果を得ることができる。
【００４０】
また、本発明に係る水中プロジェクターＡ〜Ｅが投射する映像は、前述したプール３１の底面３１ａでなく、図７に示したように、プール３１の水中における一方に水中シートスクリーン５１を設置して、この水中シートスクリーン５１に映し出すこともできる。この水中シートスクリーン５１は、図８に示したように、半透明プラスチックシート５１ａの上端縁部に沿って棒状のフロート５１ｂを設けるとともに、半透明プラスチックシート５１ａの下端縁部に沿って棒状の固定台５１ｃを設けて構成されている。
【００４１】
フロート５１ｂは比重が水よりも小さな材料で構成され、固定台５１ｃは比重が水よりも大きな材料で構成されている。また、固定台５１ｃはフロート５１ｂの浮力に抗して水中シートスクリーン５１を水中に沈ませることができる比重を備えている。このため、水中シートスクリーン５１を広げた状態でプール３１内に入れると、固定台５１ｃはプール３１の底面３１ａ上に位置し、フロート５１ｂは水面近傍に位置するようになり、半透明プラスチックシート５１ａは水中で広がった状態に維持される。
【００４２】
この場合、遊泳者が泳ぐときに、手が当たらない高さにフロート５１ｂを位置させることもできる。また、半透明プラスチックシート５１ａの表面には、シボ加工や光拡散加工などが施されて半透明プラスチックシート５１ａは乳白色またはグレー色などになっている。これによって、半透明プラスチックシート５１ａの表面には、鮮明な映像が映し出される。この場合、スクリーン５１の正面だけでなく、スクリーン５１の前後両側から映像を見ることが可能になる。
【００４３】
また、水中プロジェクターＡ〜Ｅは、水中の半透明プラスチックシート５１ａに映像を映し出すようにしてコースロープ３２に取り付けられる。このため、水中プロジェクターＡ〜Ｄを使用する場合には、バランス調整重り１８を防水筐体１０の中央または中央よりもやや後部側に固定して水中プロジェクターＡ〜Ｄとバランス調整重り１８との重心を水中プロジェクターＡ〜Ｄの略中央側に位置させることによって、水中プロジェクターＡの窓部１０ａ側が略正面を向くようにさせる。
【００４４】
また、水中プロジェクターＥを使用する場合には、バランス調整重り１８を防水筐体１０のやや前部側に固定して水中プロジェクターＥとバランス調整重り１８との重心を水中プロジェクターＥのやや前部側に位置させることによって、水中プロジェクターＥの窓部１０ａ側がやや下方を向くようにさせる。これによって、水中プロジェクターＡ〜Ｅから投射される映像は、良好な状態で半透明プラスチックシート５１ａに映し出される。
【００４５】
また、水中シートスクリーン５１に代えて、図９に示した水中微細泡スクリーン５２を用いることもできる。この水中微細泡スクリーン５２は、微細泡発生器５３と微細泡噴出器５４から発生される微細泡の層で構成されている。そして、微細泡発生器５３は微細泡噴出器５４に空気を送り込む空気供給装置で構成され、微細泡噴出器５４は、上面が開口した四角箱状の外部ケース５４ａの内部に微細泡層形成部５５を収納して構成されている。微細泡層形成部５５は、側面が略三角形に形成された層形成ケース５５ａと、層形成ケース５５ａの内部に設置されたウッドストーンからなる微細泡噴出部５５ｂとで構成されている。
【００４６】
層形成ケース５５ａは、底面を外部ケース５４ａの底面に沿わせた状態で外部ケース５４ａ内に設置され、先細りになった上端縁部にスリット５５ｃが形成された略三角筒状に形成されている。また、微細泡噴出部５５ｂは多孔質の棒体で構成され、微細泡発生器５３から供給される空気を微細泡にして全長にわたる部分から噴出する。このため、微細泡噴出部５５ｂから噴出される微細泡は、層形成ケース５５ａの両内面に沿って幅を狭めながら上昇してスリット５５ｃから水中に吐き出される。これによって、水中に水中微細泡スクリーン５２を構成する微細泡の層が形成される。
【００４７】
そして、この水中微細泡スクリーン５２に向って、水中プロジェクターＡ〜Ｅから映像を投射することにより、水中微細泡スクリーン５２には奥行きのある映像が映し出される。この場合、遊泳者は水中微細泡スクリーン５２を通過して泳ぐこともでき興趣に富むものとなる。さらに、本発明に係る水中プロジェクターＡ〜Ｅが投射する映像を、プール３１の側壁面に映し出すこともできる。この場合、複数台の水中プロジェクターＡ〜Ｅを適当な間隔で配置して、側壁面には有名水泳選手が泳ぐ姿を映し出すことができ、これによると、遊泳者は、プール３１の側壁面に写った有名水泳選手と競争しながら泳ぐこともできる。
【００４８】
また、本発明に係る排熱利用装置は前述した各実施形態に限定するものでなく適宜変更が可能である。例えば、前述した各実施形態では、水中プロジェクターＡ〜Ｅをプール３１で使用するようにしているが、この水中プロジェクターＡ〜Ｅはプール３１に限らず、水槽、浴槽、海、池等多量の水が有る場所であれば使用が可能である。また、水中プロジェクターＡ〜Ｅから投射される映像は、水中の遊泳者に限らず、水の外部にいる人が見ることもできる。
【００４９】
さらに、前述した各実施形態では、光源ランプ２３を高圧水銀系ランプで構成したが、この光源ランプ２３としては、高圧水銀系ランプに限らず、水銀系ランプ、非水銀系ランプ等の種々のランプを用いることができる。また、ヒートシンク２２，３５としても、基板と、その基板の表面から基板に直交した状態で互いに平行して延びる複数のフィンとで構成されたものに限らず他の形状のものを使用することができる。さらに、熱交換器１１の内部に形成した冷却水路を、熱交換器１１内に複数のフィン等からなる突起を設けることにより形成してもよい。また、熱交換器１１は、グリースを介さず、固定部材でケース２１の底面に密着させた状態でケース２１に固定してもよい。
【００５０】
さらに、前述した各実施形態では、複数のヒートシンク２２のうちの下部側に配置されたヒートシンク２２をケース２１の底面に接触させた状態で設置しているが、このヒートシンク２２をケース２１の底面から露出させて、このヒートシンク２２と熱交換器１１とを直接接触させてもよい。また、前述した各実施形態では、ウォーターポンプ１２，１２ａを配水管１３における吸水口１３ａと熱交換器１１との間の部分で構成される給水管に設けているが、このウォーターポンプ１２，１２ａは、配水管１３における熱交換器１１と排水口１３ｂとの間の部分で構成される排水管に設けてもよい。
【００５１】
さらに、前述した第２実施形態では、内気冷却ファン３７をケース２１の後面部に設けているが、この内気冷却ファン３７はケース２１の前部や側面に設けてもよい。要は防水筐体１０内で空気流を発生できればよい。また、第５実施形態では、水中プロジェクターＥを、上面を水面ａに露出させた状態で水中に設置して使用するものとしたが、この水中プロジェクターＥは、水中に設置することもできる。この場合、アンテナ４８ａをケーブルを介して水中プロジェクターＥの本体側に接続し、アンテナ４８ａだけを水面ａに露出させることができる。
【００５２】
さらに、水中微細泡スクリーン５２の微細泡発生器５３としては、エアポンプ等からなる空気供給装置の他、水の循環ポンプでディフューザー等を使い、泡の混じった流水を噴出する装置を用いることもできる。また、微細泡噴出部５５ｂを構成する材料としては、ウッドストーンの他、セラミックストーン等を用いることもできる。さらに、本発明に係るプロジェクター本体２０，４５としては、市販のプロジェクター機器をそのまま使用してもよいし、プロジェクター機器を構成する所定の部材を使用してもよい。また、水中プロジェクターＡ〜Ｅを構成するそれ以外の部分の構成についても、本発明の技術的範囲内で適宜変更することができる。
【図面の簡単な説明】
【００５３】
【図１】本発明の第１実施形態に係る水中プロジェクターを示した概略構成図である。
【図２】水中プロジェクターをプールのコースロープに取り付けてプールの底面に映写している状態を示した斜視図である。
【図３】本発明の第２実施形態係る水中プロジェクターを示した概略構成図である。
【図４】本発明の第３実施形態係る水中プロジェクターを示した概略構成図である。
【図５】本発明の第４実施形態係る水中プロジェクターを示した概略構成図である。
【図６】本発明の第５実施形態係る水中プロジェクターを示した概略構成図である。
【図７】水中プロジェクターをプールのコースロープに取り付けて水中シートスクリーンに映写している状態を示した斜視図である。
【図８】水中シートスクリーンを示した正面図である。
【図９】水中微細泡スクリーンが形成される状態を示した斜視図である。
【符号の説明】
【００５４】
１０…防水筐体、１０ａ…窓部、１０ｂ…穴部、１１，３６…熱交換器、１２，１２ａ…ウォーターポンプ、１３…配水管、１３ａ…吸水口、１４，４６…防水スピーカー、１８…バランス調整重り、１９…フィルター、２０，４５…プロジェクター本体、２３…光源ランプ、３１…プール、３１ａ…底面、５１…水中シートスクリーン、５２…水中微細泡スクリーン、Ａ，Ｂ，Ｃ，Ｄ，Ｅ…水中プロジェクター。
【図１】
2008216412.tif 000003
【図２】
2008216412.tif 000004
【図３】
2008216412.tif 000005
【図４】
2008216412.tif 000006
【図５】
2008216412.tif 000007
【図６】
2008216412.tif 000008
【図７】
2008216412.tif 000009
【図８】
2008216412.tif 000010
【図９】
2008216412.tif 000011